(57)【要約】【課題】ルーバーを取り外したときにファンの前方に開閉手段等の部材の存在をなくし、ファンの取り外しを容易にしてファンの掃除性を向上することを目的とする。【解決手段】内部にファン１を設けたファンモータ２を有した本体６に着脱自在に係合されるルーバー２１に通気口１９を開閉するパネル２０を設け、パネル２０を開閉するようにレバー２４と連結片２５よりなる開閉手段２６をルーバー２１側に設け、本体６側に作動子１２と駆動部１１よりなる駆動手段１７を設け、ルーバー２１を本体６に取り付けることにより開閉手段２６を駆動手段１７に自動的に連結せしめることにより、ルーバー２１を取り外したときには開閉手段２６も共に取り外されファン１の着脱が容易で掃除性が向上できる換気装置が得られる。【選択図】　図１
2004144330.tif 000002
【特許請求の範囲】
【請求項１】
内部にファンを取り付けたファンモータを有し、壁部等に設けた換気口に配設される形状で室内側に枠状部を設けた本体と、この本体の枠状部に着脱自在に係合されるルーバー枠部および、ルーバー枠部に設けた通気口を下方側を支点に開閉するパネルとを有したルーバーと、このルーバーのパネルに設けられるレバーおよび連結片よりなる開閉手段と、前記本体の枠状部に作動子および作動子を駆動する駆動部よりなる駆動手段とを備え、前記ルーバーを前記本体に取り付けることにより前記開閉手段が前記作動子を介して前記駆動手段に自動的に連結せしめる構成とした換気装置。
【請求項２】
開閉手段を、パネルの背面側上方部に取り付ける取付板および、取付板の左右に一端が接続され、他端にレバーピンを設けたレバーと、このレバーのレバーピンに一端が回動自在に取り付けられ、他端がルーバー枠部に回動自在に連結される連結片により構成した請求項１記載の換気装置。
【請求項３】
取付板の左右の幅を本体の枠状部に形成されるファンの吸込口より幅広に形成した請求項２記載の換気装置。
【請求項４】
パネルを閉鎖するように設けられる一対のばねの一端を、通気口の下方側のルーバー枠部のほぼ中央部に係止し、他端をパネルの背面側上方部の左右寄りに配設した請求項１または２記載の換気装置。
【請求項５】
本体側に設けた駆動手段が駆動時状態のときには、ルーバーに設けた開閉手段が連結できないように阻止するリブを作動子に設けた請求項１記載の換気装置。
【発明の詳細な説明】
【０００１】
【発明の属する技術分野】
本発明は、壁部等に設けたパイプ等よりなる換気口に配設して室内の汚染空気を排出する換気装置に関する。
【０００２】
【従来の技術】
従来の運転時に通風隙間を形成する換気扇は、本体側に開閉用モータおよび開閉用の操作部材を設け、開閉体を前後に移動して通風隙間を形成している（例えば、特許文献１参照。）また、下方部を支点にシャッター（パネル）を開閉するものもある（例えば、特許文献２参照）。
【０００３】
【特許文献１】
特開平８−１２８６９０号公報（［００２４］〜［００３３］図１、図３）
【特許文献２】
特許第２７１９０９９号公報（［００２３］〜［００３０］図１、図２、図３）
【０００４】
【発明が解決しようとする課題】
このような従来の［特許文献１］の換気扇では、開閉用モータおよび開閉用の操作部材を設け、開閉体を前後に移動して通風隙間を形成することが示されているが、開閉体を取り外したときにおいては、図３に示すようにファンの前方に操作部材が配設された状態にあるため、ファンを取り外してファンを掃除するのは困難であるという課題があった。
【０００５】
また、［特許文献２］の換気扇は、シャッターを下方部側を支点にして開閉することが示されているが、シャッターを取り外してファンの掃除を容易にすることについては何ら示されていないものである。
【０００６】
本発明は、上記課題を解決するもので、ルーバーを取り外したときに、ファンの取り外しを容易にして掃除性を向上することを目的とする。
【０００７】
【課題を解決するための手段】
本発明の換気装置は上記目的を達成するために、内部にファンを取り付けたファンモータを有し、壁部等に設けた換気口に配設される形状で室内側に枠状部を設けた本体と、この本体の枠状部に着脱自在に係合されるルーバー枠部および、ルーバー枠部に設けた通気口を下方側を支点に開閉するパネルとを有したルーバーと、このルーバーのパネルに設けられるレバーおよび連結片よりなる開閉手段と、前記本体の枠状部に作動子および作動子を駆動する駆動部よりなる駆動手段とを備え、前記ルーバーを前記本体に取り付けることにより前記開閉手段が前記作動子を介して前記駆動手段に自動的に連結せしめる構成としたものである。
【０００８】
この本発明によれば、ルーバーを取り外したときにファンの取り外しを容易にして掃除性を向上することができる。
【０００９】
【発明の実施の形態】
本発明の請求項１記載の発明は、内部にファンを取り付けたファンモータを有し、壁部等に設けた換気口に配設される形状で室内側に枠状部を設けた本体と、この本体の枠状部に着脱自在に係合されるルーバー枠部およびルーバー枠部に設けた通気口を下方側を支点に開閉するパネルとを有したルーバーと、このルーバーのパネルに設けられるレバーおよび連結片よりなる開閉手段と、前記本体の枠状部に作動子および作動子を駆動する駆動部よりなる駆動手段とを備え、前記ルーバーを前記本体に取り付けることにより前記開閉手段が前記作動子を介して前記駆動手段に自動的に連結せしめることにより、ルーバーを取り外したときにはルーバーとともに開閉手段が本体側から取り外されるので、本体側に設けたファンの前方には開閉手段等の部材が存在することがなくなり、ファンの取り外しが容易となり、ファンの掃除性が向上するという作用を有する。
【００１０】
以下、本発明の実施の形態について図１〜図６を参照しながら説明する。
【００１１】
（実施の形態１）
図１〜図６に示すように、内部にファン１を取り付けたファンモータ２を有し、壁部３等に埋設したパイプ等により形成された換気口４に配設される形状で室内側に壁部３に取り付けられる枠状部５を設けて本体６を形成し、枠状部５にはファンの吸込口７を形成するベルマウス部８がつまみ９の操作により着脱できるように設けられ、ファンの吸込口７の側方には、巻取りローラ１０を設けた駆動部１１と、上下自在に摺動する作動子１２を設け、作動子１２には、巻取りローラ１０に巻き取られるワイヤー１３が取り付けられる取付部１４を上方部に設け、中央部には凹状の係合部１５を設け、下方部には前方に突出するリブ１６を設け、作動子１２および作動子１２を駆動する駆動部１１により駆動手段１７を形成する。
【００１２】
また、本体６の枠状部５に着脱自在に係合されるルーバー枠部１８およびルーバー枠部１８に設けた通気口１９を下方側を支点に開閉するパネル２０を有したルーバー２１を設け、パネル２０の背面側上方部に着脱自在に引っ掛けられる取付板２２および、取付板２２の左右に一端が接続され、他端にレバーピン２３を設けたレバー２４と、レバー２４のレバーピン２３に一端が回動自在に取り付けられ他端がルーバー枠部１８に回動自在に連結される連結片２５を設け、レバー２４と連結片２５により開閉手段２６を形成し、レバー２４と連結片２５の連結部分２７が駆動手段７の作動子１２の係合部２５に係合するように形成する。
【００１３】
また、取付板２２の左右の幅を本体６の枠状部５に形成されるファンの吸込口７より幅広に形成し、パネル２０を閉鎖するように設けられる一対のコイル状のばね２８の一端を通気口１９の下方側のルーバー枠部１８のほぼ中央部に設けた係止片２９に取り付け、他端をパネル２０の背面側上方部の左右寄りに配設する。
【００１４】
そして、パネル２０の開放時で、本体６の枠状部５に設けた駆動手段１７が駆動状態にあるときに、ルーバー２１を取り外し、再度取り外したルーバー２１を本体６の枠状部５に取り付けようとしたときには、駆動手段１７の作動子１２が上方側に移動している状態にあるため、ルーバー２１に設けた開閉手段２６の連結部分２７が駆動手段１７の作動子１２に設けた係合部１５に係合されることがなくなり、駆動手段１７の作動子１２に設けられるリブ１６に当接するように、駆動手段１７に開閉手段２６が連結できないようにリブ１６を設け構成する。
【００１５】
上記構成において、本体６を換気口４に配設し、室内側に露出している枠状部５にルーバー２１をルーバー枠部１８を介して取り付けることにより、ルーバー２１に設けた開閉手段２６の連結部分２７が本体６の枠状部５に設けた駆動手段１７の作動子１２に形成された係合部１５に係合し、開閉手段２６が駆動手段１７に自動的に連結される。この状態において換気装置を運転するとファンモータ２によりファン１が駆動されるとともに、駆動手段１７の駆動部１１により巻取りローラ１０が回動し、ワイヤー１３を介して作動子１２が引き上げられ、作動子１２の係合部１５に係合していた開閉手段２６の連結部分２７を介してレバー２４が上方側に移動し、レバー２４の端部に設けた取付板２２によりパネル２０は下方側を支点にしてばね２８のばね圧に抗して開放され、室内側の空気がファン１に吸い込まれて室外に排出されて換気が行われる。このとき、パネル２０に設けた幅広の取付板２２は上方側を支点にしてレバー２１とともに可動し、パネル２０の開放角度より浅い角度となり、室内側から吸い込まれる空気をファン１側に案内する整流板の役目を果たすこととなる。
【００１６】
また、換気装置の運転を停止すると、パネル２０とルーバー枠部１８間に張架されたばね２８の弾性力でパネル２０が閉鎖方向に移動するとともに、開閉手段２６の連結部分２７により駆動手段１７の作動子１２が下方側に移動し、ばね２８の力でパネル２０がルーバー枠部１８に密接し、パネル２０が閉鎖される。
【００１７】
そして、ファン１の掃除を行うためにルーバー２１を取り外したときには、ルーバー２１に設けた開閉手段２６の連結部分２７が本体６の枠状部５に設けた駆動手段１７の作動子１２に設けた係合部１５より離脱され、開閉手段２６はルーバー２１側に、駆動手段１７は本体６側に分離された状態となり、ファン１の前方には開閉手段２６が無くなりファン１の取り外しが可能な状態となる。
【００１８】
このように本発明の実施の形態１の換気装置によれば、内部のファン１を取り付けたファンモータ２を有し、壁部３等に設けた換気口４に配設される形状で室内側に枠状部５を設けた本体６と、この本体６の枠状部５に着脱自在に係合されるルーバー枠部１８およびルーバー枠部１８に設けた通気口１９を下方側を支点に開閉するパネル２０とを有したルーバー２１と、このルーバー２１のパネル２０に設けられるレバー２４および連結片２５により連結部分２７を形成した開閉手段２６と、本体６の枠状部５に上下摺動する作動子１２および作動子１２を駆動する駆動部１１よりなる駆動手段１７とを備え、ルーバー２１を本体６に取り付けることにより開閉手段２６の連結部分２７が作動子１２に設けた係合部１５に係合し、作動子１２を介して駆動手段１７に自動的に連結せしめる構成としたので、ファン１の掃除時にルーバー２１を取り外したときには、本体６の枠状部５に設けた駆動手段１７とルーバー２１に設けた開閉手段２６の連結が断たれ、開閉手段２６はルーバー２１と共に取り外されることとなり、ファン１の前方には開閉手段２６等の部材の存在がなくなりファン１の取り外しが容易となりファン１の掃除性が向上する。また、開閉手段２６がルーバー２１側に設けられているため、取り外した状態のルーバー２１側を掃除することにより開閉手段２６の掃除も容易にできる。
【００１９】
また、開閉手段２６をパネル２０の背面側上方部に引っ掛けて取り付けられる取付板２２および、取付板２２の左右に一端が接続され、他端にレバーピン２３を設けたレバー２４と、レバー２４のレバーピン２３に一端が回動自在に取り付けられ、他端がルーバー枠部１８に回動自在に連結される連結片２５により構成したので、レバー２４と連結片２５の連結部分２７を駆動手段１７側の作動子１２により動作させる動作距離と比較し、パネル２０を開閉するレバー２４の動作距離が大きくなり、それにともないパネル２０の開放角度を大きくとることができ、通風量の増大を図ることができる。
【００２０】
また、レバー２４を含めた取付板２２の左右の幅を本体６の枠状部５に形成されるファンの吸込口７より幅広に形成したので、レバー２４の取付板２２が整流板の役割を果して通気流がスムーズに流れるようになり通気抵抗および騒音値を下げることができる。また、レバー２４部分の強度を高めることができ、パネル２０のねじれを防止することができる。
【００２１】
また、パネル２０を閉鎖するように設けられる一対のばね２８の一端を通気口１９の下方側のルーバー枠部１８のほぼ中央部に係止し、他端をパネル２０の背面側の上方部の左右寄りに配設したので、パネル２０の上部だけでなく、パネル２０の左右両側にばね２８の引張力がかかるようになり、パネル２０の閉鎖時の気密性を向上することができるとともにパネル２０のねじれも防止できる。
【００２２】
また、本体６の枠状部５に設けた駆動手段１７が駆動時状態のときには、ルーバー２１に設けた開閉手段２６が連結できないように阻止するリブ１６を駆動手段１７の作動子１２に設けたので、電源が入れられた状態でルーバー２１が取り外された場合においては、電源を入れた状態ではルーバー２１は取り付けられなくなるので、電源を切り、開閉手段２６と駆動手段１７が確実に連結された状態でなければ運転できないこととなり、パネル２０の開閉不良を防ぐことができる。
【００２３】
【発明の効果】
以上の実施の形態から明らかなように、本発明の換気装置によれば、内部にファンを取り付けたファンモータを有し、壁部等に設けた換気口に配設される形状で室内側に枠状部を設けた本体と、この本体の枠状部に着脱自在に係合されるルーバー枠部および、ルーバー枠部に設けた通気口を下方側を支点に開閉するパネルとを有したルーバーと、このルーバーのパネルに設けられるレバーおよび連結片よりなる開閉手段と、前記本体の枠状部に作動子および作動子を駆動する駆動部よりなる駆動手段とを備え、前記ルーバーを前記本体に取り付けることにより、前記開閉手段が前記作動子を介して前記駆動手段に自動的に連結せしめる構成としたので、ルーバーを取り外したときには開閉手段がルーバーとともに取り外されることとなり、ファンの前方には開閉手段等の部材が無くなり、ファンの着脱が容易で、ファンの掃除性が向上する換気装置を提供できる。
【００２４】
また、開閉手段を、パネルの背面側上方部に取り付ける取付板および、取付板の左右に一端が接続され、他端にレバーピンを設けたレバーと、このレバーのレバーピンに一端が回動自在に取り付けられ、他端がルーバー枠部に回動自在に連結される連結片により構成したので、レバーの連結部分を作動子により動作させる動作距離と比較し、パネルの開閉距離が大きくとることができ通風量の増大を図ることができる。
【００２５】
また、取付板の左右の幅を本体の枠状部に形成されるファンの吸込口より幅広に形成したので、通気抵抗および騒音値を下げることができ、また、レバーの強度を上げることができるとともに、パネルのねじれを防止できる。
【００２６】
また、パネルを閉鎖するように設けられる一対のばねの一端を通気口の下方側のルーバー枠部のほぼ中央部に係止し、他端をパネルの背面側上方部の左右寄りに配設したので、気密性を向上することができる。
【００２７】
また、本体側に設けた駆動手段が駆動時状態のときには、ルーバーに設けた開閉手段が連結できないように阻止するリブを作動子に設けたので、本体に電源が入れられ、パネルが開いている状態でルーバーを外された場合においては、パネルが閉じた状態ではルーバーが取り付かなくなり、開閉不良を防ぐことができる。
【図面の簡単な説明】
【図１】本発明の実施の形態１の換気装置の運転時の状態を示す断面図
【図２】同換気装置の運転停止時の状態を示す断面図
【図３】同換気装置のルーバーの斜視図
【図４】同換気装置の本体の斜視図
【図５】同換気装置のルーバーの背面側斜視図
【図６】同換気装置の作動子の斜視図
【符号の説明】
１　　ファン
２　　ファンモータ
３　　壁部
４　　換気口
５　　枠状部
６　　本体
７　　ファンの吸込口
１１　駆動部
１２　作動子
１６　リブ
１７　駆動手段
１８　ルーバー枠部
１９　通気口
２０　パネル
２１　ルーバー
２２　取付板
２３　ルーバーピン
２４　レバー
２５　連結片
２６　開閉手段
２８　ばね
【図１】
2004144330.tif 000003
【図２】
2004144330.tif 000004
【図３】
2004144330.tif 000005
【図４】
2004144330.tif 000006
【図５】
2004144330.tif 000007
【図６】
2004144330.tif 000008